(57)【要約】  本発明は曲面からなる金魚鉢に関するものであり、特に金魚鉢を形成する水槽が外部枠のような他の支持部材なしに透明素材だけで形成され、金魚鉢を形成するガラスが曲面を形成するように製造され、多数の水槽が通路パネルによって連通するように設けられることにより、金魚鉢製作に使用される時間及び費用を節減することができ、外観を美しくする曲面からなる金魚鉢に関するものである。
2007508031.tif 000002
【特許請求の範囲】
【請求項１】
一定の空間を形成するように一つのパネル両側端部が互いに接合され、円筒形状を形成するようにした透明材質の水槽と、前記水槽の下端に接着されて前記水槽に水が溜まるようにした底面パネルと、前記水槽の両側端部が連結される面に介在され、前記水槽の下端と底面パネルの間に介在されて水槽内部に溜まった水の漏水を防止するシーリング材と、前記水槽の上端に安着されてテーブルの上面を形成するようにする上板と、前記上板の底面から下側方向に突出され、前記水槽の上端が嵌め込まれるようにする安着突起が含まれた曲面からなる金魚鉢。
【請求項２】
一定の空間を形成するように一つのパネルが円筒形状に巻かれて形成され、透明材質で形成され、両側端部が一定間隔を保って垂直方向のホール部が形成された多数の水槽と、前記水槽の多数が互いに連通するように前記ホール部の両側端部を互いに連結して通路を形成するようにする通路パネルと、前記水槽及び通路パネルの下端に接着され、前記水槽及び通路パネルによって形成された通路に水が溜まるようにした底面パネルと、前記水槽と通路パネルが連結される面に介在され、前記水槽及び通路パネルの下端と、底面パネルの間に介在されて水槽内部に溜まった水の漏水を防止するシーリング材と、前記水槽及び通路パネルの上端に安着されてテーブルの上面を形成するようにする上板と、前記上板の底面から下側方向に突出され、前記水槽の上端が嵌め込まれるようにする安着突起が含まれた曲面からなる金魚鉢。
【請求項３】
請求項２において、前記通路パネルは、一側端部に前記水槽のホール部が連結され、他側端部に他の水槽で延長された他の通路パネルが連結されることにより、２個以上の水槽が互いに連通できるようにしたことを特徴とする曲面からなる金魚鉢。
【請求項４】
金魚鉢の外側に凸したり、内側に凹曲面を形成し、透明材質で形成されて金魚鉢の前面及び背面を形成する一対の第１パネル及び、第１パネルの両側端部に連結されて一定の空間を形成する第２パネルで構成された水槽と、前記水槽の下端に接合されて水が漏れないようにする底面パネルと、前記第１パネルと第２パネルの連結部位に介在され、前記水槽の下端と底面パネルの間に介在され、それぞれの部材を接合させ、水が漏水されることを防止できるようにするシーリング材と、前記水槽の上端に着脱可能に設けられ、上側に凸して下側に凹曲面を形成し、透明材質で形成されるカバーが含まれることを特徴とする曲面からなる金魚鉢 。
【請求項５】
請求項４において、前記カバーは内側に照明灯が設けられ、前記照明灯とカバー間には光が透過しない反射板が介在されることを特徴とする曲面からなる金魚鉢。
【発明の詳細な説明】
【技術分野】
【０００１】
本発明は曲面からなる金魚鉢に関するものであり、特に金魚鉢を形成する水槽が外部枠のような他の支持部材なしに透明素材だけで形成され、水槽を形成する透明材質のパネルが曲面を形成するように製造され、多数の水槽が通路パネルによって連通するように設けられることにより、金魚鉢製作に使用される時間及び費用を節減することができ、金魚鉢の内部に照明灯が設けられてスタンドの機能も可能であるので、外観を美しくする曲面からなる金魚鉢に関するものである。
【背景技術】
【０００２】
一般的に金魚鉢は金魚や熱帯魚などの曲面からなる魚を飼うことに使用するガラス瓶として、金魚鉢の外壁を形成する多数のガラスパネルと、前記ガラスパネルを支持して連結する外部枠で構成されることが普通であり、前記支持フレームの形状によって金魚鉢の付随的な用途が多様に変形されるので、壁掛け型金魚鉢、飾り金魚鉢及び観賞用金魚鉢などいろいろな種類の金魚鉢がある。
【０００３】
図１は、従来技術による金魚鉢が示された斜視図である。
【０００４】
図１のように金魚鉢は、多数の支持足（６）が備えられて周面に設けられ、前記支持足（６）を固定させる外部フレーム（５）が備えられた外部枠（１）と、前記外部枠（１）の底面に設けられた下側板（２）と、前記下側板（２）の上面に支持されて外部枠（１）の内部に配置された水槽（３）と、前記水槽（３）の上部を塞いでテーブルの上面として使用される上側板（４）が含まれて構成される。
【０００５】
しかし、従来技術による金魚鉢は水槽（３）、上側板（４）及び、下側板（２）を形成する多数のガラスパネルが接着剤によって接合され、前記外部枠（１）の内部に設けられるので、多数の材料が必要となり、その製作工程が複雑であり、曲面からなる金魚鉢を製造するのにかかる時間及び、費用を節減することが困難な問題がある。
【０００６】
また、従来技術による金魚鉢は外部枠（１）の内部に水槽（３）が設けられるので、水槽（３）内部に照明を設ける装飾をする場合は、外部に発散される光によって外部枠（１）の影が発生するなど、外観を美しくする装飾には限界がある問題がある。
【発明の開示】
【発明が解決しようとする課題】
【０００７】
本発明は、前記の従来技術の問題を解決するために案出したものであり、一つのガラスパネルが円筒形状を形成するように製作され、別途の外部枠やその他の支持部材なしに透明材質のパネルだけで水槽を形成することにより、金魚鉢製造にかかる時間及び費用を節減することができ、金魚鉢の内に照明を設ける場合に外部枠による影が生成されないので、外観をより美しくする曲面からなる金魚鉢を提供することに目的がある。
【０００８】
また、一つの透明素材からなるパネルが円筒形状に巻かれて水槽を形成し、このように形成された多数の水槽が通路パネルによって連通するように設けられることにより、その外観の演出を多様に展開できるようにした曲面からなる金魚鉢を提供することにまた他の目的がある。
【課題を解決するための手段】
【０００９】
前記の課題を解決するための本発明の好ましい第１実施例による曲面からなる金魚鉢は、一定の空間を形成するように一つのパネル両側端部が互いに接合されて円筒形状を形成するようにした透明材質の水槽と、前記水槽の下端に接着されて前記水槽に水が溜まるようにした底面パネルと、前記水槽の両側端部が連結される面に介在され、前記水槽の下端と底面パネルの間に介在され、水槽内部に溜まった水の漏水を防止するシーリング材と、前記水槽の上端に安着されてテーブルの上面を形成するようにする上板と、前記上板の底面から下側方向に突出され、前記水槽の上端が嵌め込まれるようにする安着突起が含まれたことを特徴とする。
【００１０】
本発明の好ましい第２実施例による曲面からなる金魚鉢は、一定の空間を形成するように一つのパネルが円筒形状に巻かれて形成され、透明材質で形成され、両側端部が一定間隔を保って垂直方向のホール部が形成された多数の水槽と、前記水槽の多数が互いに連通するように前記ホール部の両側端部を互いに連結して通路を形成するようにする通路パネルと、前記水槽及び通路パネルの下端に接着され、前記水槽及び通路パネルによって形成された通路に水が溜まるようにした底面パネルと、前記水槽と通路パネルが連結される面に介在され、前記水槽及び通路パネルの下端と、底面パネルの間に介在されて水槽内部に溜まった水の漏水を防止するシーリング材と、前記水槽及び通路パネルの上端に安着されてテーブルの上面を形成するようにする上板と、前記上板の底面から下側方向に突出され、前記水槽の上端が嵌め込まれるようにする安着突起が含まれたことを特徴とする。ここで、前記通路パネルは、一側端部に前記水槽のホール部が連結され、他側端部に他の水槽で延長された他の通路パネルが連結されることにより、２個以上の水槽が互いに連通されることが好ましい。
【００１１】
本発明の好ましい第３実施例による曲面からなる金魚鉢は、外側に凸したり、内側に凹曲面を形成し、透明材質で形成されて金魚鉢の前面及び背面を形成する一対の第１パネル及び、第１パネルの両側端部に連結されて一定の空間を形成する第２パネルで構成された水槽と、前記水槽の下端に接合されて水が漏れないようにする底面パネルと、前記第１パネルと第２パネルの連結部位に介在され、前記水槽の下端と底面パネルの間に介在され、それぞれの部材を接合させ、水が漏水されることを防止できるようにするシーリング材と、前記水槽の上端に着脱可能に設けられ、上側に凸して下側に凹曲面を形成し、透明材質で形成されるカバーが含まれることを特徴とする。
【００１２】
ここで、前記カバーは内側に照明灯が設けられ、前記照明灯とカバー間には光が透過しない反射板が介在されることが好ましい。
【００１３】
本発明の特許請求範囲を構成する付加的な特徴と長所を詳しく説明する。
【発明を実施するための最良の形態】
【００１４】
以下、本発明による曲面からなる金魚鉢の実施例を添付された図面を参照して詳しく説明する。
【００１５】
図２は、本発明の好ましい第１実施例による曲面からなる金魚鉢が示された斜視図であり、図３は、前記図２の分解斜視図であり、図４は前記図２の使用状態図であり、図５は、前記図２の他の使用状態図であり、図６は、本発明の好ましい第２実施例による曲面からなる金魚鉢が示された斜視図であり、図７は、前記図６の分解斜視図であり、図８は、本発明の好ましい第３実施例による曲面からなる金魚鉢が示された平面図であり、図９は、本発明の好ましい第４実施例による曲面からなる金魚鉢が示された平面図であり、図１０は、前記図６の使用状態図であり、図１１は、本発明の好ましい第５実施例による曲面からなる金魚鉢が示された斜視図であり、図１２は、前記図１１の分解斜視図であり、図１３は、前記図１１の断面図であり、図１３は、前記図１１の使用状態図をそれぞれ示したものである。
【００１６】
図２乃至図４を参照すれば、本発明の好ましい第１実施例による曲面からなる金魚鉢は、一つのパネル両側端部が接合されて円筒形状に形成された水槽（１０）と、前記水槽（１０）の下端部に接合されて水槽（１０）に溜まった水の漏水を防止する底面パネル（２０）と、前記水槽（１０）の上端に嵌め込まれ、テーブルの上面を形成する上板（４０）が含まれて構成される。
【００１７】
ここで、前記水槽（１０）は、透明な材質のパネルが円筒形状に巻かれて形成され、透明なガラス材質で形成されるので、金魚鉢の内がはっきり見えるようにし、従来技術の金魚鉢と比べると、外部枠がないだけでなく、一つのガラスパネルが円筒形状に巻かれて水槽（１０）が形成されるので、水槽（１０）の周りの面に継手部が一つの直線を形成し、垂直方向に配置されて水槽（１０）内が光の屈折なしに観察できるようにする。
【００１８】
勿論、透明材質のパネルは、透明度が良いガラスパネルを使用することが一番好ましく、透明な合成樹脂を使っても良い。
【００１９】
このような、前記水槽（１０）でガラスパネルを使用する場合に、一つのガラスパネルが円筒形状に巻かれることが容易ではないので、ここではガラスパネルをドラムの周面に配置させた後に、６００〜７００℃の熱を加えて円筒形状の水槽（１０）を製造する。
【００２０】
この時、ドラムを一定速度で回転させることにより、ガラスパネルがドラムの周面に巻かれながら円筒形状に成形するようにする。
【００２１】
また、前記底面パネル（２０）も前記のように水槽（１０）の下端にシーリング材（４０）を塗布し、底面パネル（２０）に水槽（１０）を安着させて乾燥すると、水が漏水されることを防止して金魚鉢を形成するようにする。
【００２２】
前記上板（３０）は、図２及び図３に示されたようにその直径が水槽（１０）の径と比べて十分に大きく形成されることにより、上板（３０）が水槽（１０）の上端に結合された場合に、上面が広く確保されてテーブルを形成するようにし、四角形または三角形、円形など多様な形状のパネルに形成され、前記上板（３０）の底面には下側方向に突出された多数の安着突起（３２）が形成される。
【００２３】
前記安着突起（４２）は、上板（３０）が水槽（１０）の上端に配置された場合に、前記水槽（１０）の周面に密着することにより、上板（３０）が水槽（１０）の上端に安着された後に、外力によって水槽（１０）の上端で流動されないようにする。
【００２４】
ここで、前記安着突起（４２）は、前記水槽（１０）の曲率と同じ曲率を形成する突起として、シーリング材（４０）を用いて上板の底面に接着させて形成され、その個数は上板（３０）の流動を抑制できるほどの個数であれば、その個数に関係なく、設けられてもよく、公知した安着突起（４２）のどんな形状が適用されても良い。
【００２５】
前記のように示された一実施例による本発明による曲面からなる金魚鉢の製造方法をよく見ると、次のようである。
【００２６】
まず、十分な大きさのガラスパネルをドラムの周面に配置し、６００〜７００℃の高温を加えながらドラムを回転させると、ガラスパネルの両側端部が対応される円筒状の水槽（１０）形状を形成する。
【００２７】
そして、互いに対応されるガラスパネルの両側端部の間に図３に示されたようにシーリング材（４０）を噴射し、互いに密着させて乾燥することにより、円筒形状の水槽（１０）が製作される。
【００２８】
また、前記水槽（１０）の下端部にシーリング材（４０）を塗布した後に、水槽（１０）の径と類似の大きさの底面パネル（２０）と接合して水が漏れない金魚鉢を形成することができる。
【００２９】
前記のように製作された水槽（１０）の上端に安着突起（３２）が形成された上板（３０）が嵌め込まれることにより、金魚鉢が完成される。
【００３０】
本発明による曲面からなる金魚鉢は底面パネル（２０）の内側に砂などを敷いて、前記シーリング材（４０）によって形成された継手部上側にホール部を形成し、酸素発生器が水槽（１０）内に配置してその設置が形成される。
【００３１】
図５は、図２の曲面からなる金魚鉢のまた他の実施例が示された斜視図である。
【００３２】
図２のような方法で水槽（１０）及び底面パネル（２０）、上板（３０）、シーリング材（４０）で形成されることは同じであるが、水槽（１０）の形状にその特徴があり、前記水槽（１０）が楕円形状に形成され、前記水槽（１０）と対応するように前記底面パネル（２０）及び、上板（３０）の形状も楕円に形成されたことが特徴である。
【００３３】
一方、本発明の第２実施例による曲面からなる金魚鉢は、水槽（１０）と水槽（１０）の間を連結し、それぞれの水槽が連通するようにする多数の通路パネル（５０）がさらに備われる。
【００３４】
図６及び図７を参照すれば、前記通路パネル（５０）は、水槽（１０）とその高さが同一に形成されるガラスパネルとして、水槽の周面に形成されたホール部に両側端部が接合されるので、水槽（１０）と水槽（１０）が連通するようにする通路を形成することができる。
【００３５】
勿論、前記通路パネル（５０）また透明素材のガラスパネルに形成され、透明素材の合成樹脂で形成されてもよい。
【００３６】
また、図７で示されたように前記水槽（１０）と通路パネル（５０）の接合は、シリコーンなどで形成されるシーリング材（４０）が図６に示されたように塗布することにより、接合が形成され、前記シーリング材（４０）は、水槽（１０）及び通路パネル（５０）を形成する透明素材と色が調和するように白色に形成されることが外観上好ましい。
【００３７】
図８は、本発明による曲面からなる金魚鉢の第３実施例が示された平面図である。
【００３８】
本発明による第３実施例は、水槽（１０）、底面パネル（２０）、上板（３０）、通路パネル（５０）及び、安着突起（３２）で形成されることは第２実施例と同じであるが、水槽（１０）の個数及び通路パネル（５０）の個数にその特徴があり、図８に示されたように水槽（１０）が３個に形成され、前記通路パネル（５０）は一側端部に水槽（１０）が連結され、他側端部は他の水槽（１０）から延長されたまた他の通路パネル（５２）が連結され、それぞれの水槽（１０）が１２０度の角度を形成するように配置されたことが特徴である。
【００３９】
図９は、本発明による曲面からなる金魚鉢の第４実施例が示された平面図である。
【００４０】
本発明による第４実施例も第３実施例のように、水槽（１０）の個数及び通路パネル（５０）の個数にその特徴があり、図９に示されたように水槽（１０）が４個に形成されることが特徴であり、前記通路パネル（５０）は一側端部に水槽（１０）が連結され、他側端部は他の水槽（１０）から延長されたまた他の通路パネル（５４）が連結され、それぞれの水槽（１０）が ９０度の角度を形成するように配置されたことが特徴である。
【００４１】
これで、前記第３実施例の上板（３０）は三角形を形成し、第４実施例の上板（３０）は正四角形を成すことが特徴である。
【００４２】
勿論、前記水槽（１０）の個数及び通路パネル（５０）の個数はその配置形態によって無限に設けられても構わないが、家庭で使用される金魚鉢の場合は、水槽の個数が３個や４個に配置されることが普通のことである。
【００４３】
図１０ないし図１４を参照すれば、本発明の好ましい第５実施例による曲面からなる金魚鉢は、透明材質のパネルが一定の空間を有するように形成され、側面が外側に凸状に形成された水槽（１０）と、前記水槽（１０）の底面に設けられて水槽内に水が漏れないようにする底面パネル（２０）と、前記水槽（１０）を形成する多数のパネルを互いに連結し、前記水槽（１０）と底面パネル（２０）を接合させ、水が漏れないようにするシーリング材（４０）と、前記水槽（１０）の上面に着脱可能に設けられる上板（５０）が含まれて構成される。
【００４４】
ここで、前記水槽（１０）は、左右方向に長い長方形の形状に形成され、水槽の前面及び背面を形成する一対の第１パネル（１２）と、前記第１パネル（１２）の両側面に連結され、一定の空間を形成するようにする第２パネル（１４）が含まれて構成され、前記第１パネル（１２）及び第２パネル（１４）の端部には、シリコーンなどで形成されるシーリング材（４０）が塗布された後に乾燥して接合が形成される。
【００４５】
前記第１パネル（１２）は、水槽（１０）の外側に凸状に形成されて直線型パネルからなる金魚鉢と比べ、その外観を美しくし、第１パネル（１２）を曲面に成形する方法は、一定の曲率を形成するドラムの周面にガラスパネルを配置させた後に、６００〜７００℃の温度を加えることにより、ガラスパネルがドラムの周面に密着され、同じ曲率を形成するようにして曲面形ガラスパネルを製造する。
【００４６】
前記第２パネル（１４）は、図１１及び図１２に示されたように両側端部が第１パネル（１２）と互換するように曲線になるように形成され、上端及び下端は直線になるように形成され、水槽（１０）が底に安定に配置できるようにし、上端両側には一対の係止突起（１６）が形成されて、前記上板（３０）が水槽（１０）の上端に配置された後に流動することを防止する。
【００４７】
本発明の好ましい第５実施例による前記上板（３０）は、図１１に示されたように左右方向に長い長方形パネルに形成され、上側に凸曲面を形成し、その内壁には水槽内に光を発する照明灯（６０）が設けられる。
【００４８】
このような、前記上板（３０）は、その製造方法が第１パネル（１２）と同じであり、ドラムの周面にガラスパネルを配置させた後に、６００〜７００℃の熱を加えて曲面形の上板（３０）を形成するようにする。
【００４９】
前記上板（３０）の内側に設けられる照明灯（６０）は、発する光が水槽（１０）内にだけ照射するために、照明灯（６０）と上板（３０）の間に光が透過しない材質の反射板（６２）が設けられ、前記反射板（６２）は、白色の合成樹脂パネルや鏡が設けられ、照明灯（６０）から光が照射される場合に金魚鉢の外観をより美しくする。
【００５０】
さらに、前記第１パネル（１２）と上板（３０）は、使用者の好みによって内側に凹曲面を形成しても良く、その曲率も使用者の好みによって多様な形状に調整することができる。
【産業上の利用可能性】
【００５１】
前記のように構成される本発明による金魚鉢は、一つのガラスパネルが円筒形状の水槽を形成し、底面パネルが接合され、水槽の径と比べて十分に大きな径の上板が設けられることにより、他の部材なし透明素材だけで形成される金魚鉢を形成して製作に必要な費用を節減することができ、外観が美しいという利点がある。
【００５２】
また、多数の水槽が互いに連結して連通するようにする透明素材の通路パネルが連結され、透明素材の底面パネル及び上板が備えられて金魚鉢を形成することにより、水槽の個数を調整して多様な形状の金魚鉢を形成できるので、使用者の好みに合わせることができる利点がある。
【００５３】
開始された本発明の概念と特定実施例は、本発明と類似の目的を遂行するための他の構造の設計や修正の基本として、即時使用できることが当該技術分野の熟練した人々によって認識されなければならない。
【００５４】
また、当該技術分野の熟練した人によるそのような修正または変更された等価構造は、特許請求範囲で記述した発明の思想や範囲を脱しない限度内で、多様な変化、置換及び変更が可能である。
【図面の簡単な説明】
【００５５】
【図１】従来技術による金魚鉢が示された斜視図。
【図２】本発明の好ましい第１実施例による曲面からなる金魚鉢が示された斜視図。
【図３】図２の分解斜視図。
【図４】図２の使用状態図。
【図５】図２の他の使用状態図。
【図６】本発明の好ましい第２実施例による曲面からなる金魚鉢が示された斜視図。
【図７】図６の分解斜視図。
【図８】本発明の好ましい第３実施例による曲面からなる金魚鉢が示された平面図。
【図９】本発明の好ましい第４実施例による曲面からなる金魚鉢が示された平面図。
【図１０】図６の使用状態図。
【図１１】本発明の好ましい第５実施例による曲面からなる金魚鉢が示された斜視図。
【図１２】図１１の分解斜視図。
【図１３】図１１の断面図。
【図１４】図１１の使用状態図。
【図１】
2007508031.tif 000003
【図２】
2007508031.tif 000004
【図３】
2007508031.tif 000005
【図４】
2007508031.tif 000006
【図５】
2007508031.tif 000007
【図６】
2007508031.tif 000008
【図７】
2007508031.tif 000009
【図８】
2007508031.tif 000010
【図９】
2007508031.tif 000011
【図１０】
2007508031.tif 000012
【図１１】
2007508031.tif 000013
【図１２】
2007508031.tif 000014
【図１３】
2007508031.tif 000015
【図１４】
2007508031.tif 000016
【国際調査報告】
2007508031.tif 000017